(57)【要約】【課題】薬液の抽出量の調節を容易に行うことができる、薬液塗布容器に用いられる中栓を提供する。【解決手段】下端部が薬液Ｌを溜める薬液容器本体１２に取り付けられ、上端部に薬液Ｌを塗布する刷毛１６が取り付けられる中栓１４を、刷毛１６が挿設される刷毛挿設孔２６と、刷毛挿設孔２６の下端部に形成されており、刷毛１６の側周を押圧することによって刷毛１６の中栓１４に対する位置を保持する押圧保持部３６とで構成する。【選択図】図１
2022002980.tif 000002
【特許請求の範囲】
【請求項１】
下端部が薬液を溜める薬液容器本体に取り付けられ、
上端部に前記薬液を塗布する刷毛が取り付けられる中栓であって、
前記刷毛が挿設される刷毛挿設孔と、
前記刷毛挿設孔の下端部に形成されており、前記刷毛の側周を押圧することによって前記刷毛の前記中栓に対する位置を保持する押圧保持部とを有している
薬液塗布容器の中栓。
【請求項２】
前記押圧保持部は、複数の舌片で形成されており、
複数の前記舌片同士の間には、それぞれ前記刷毛挿設孔に沿って延びる隙間が形成されている
請求項１に記載の中栓。
【請求項３】
前記刷毛挿設孔の下端部の表面から前記舌片の内面にかけて延びる縦リブが形成されている
請求項２に記載の中栓。
【請求項４】
前記舌片における前記刷毛の前記側周との当接位置には、前記上端部に向かう返り部が形成されている
請求項２または３に記載の中栓。
【請求項５】
前記刷毛挿設孔の上端には、前記刷毛の前記側周における中央部から突出する当り部に当接する受け部が形成されている
請求項１から４のいずれか１項に記載の中栓。
【請求項６】
前記刷毛挿設孔の中央部に前記刷毛の前記側周における中央部と係合する係合部が形成されている
請求項１から５のいずれか１項に記載の中栓。
【請求項７】
前記刷毛挿設孔の内面には、前記刷毛挿設孔の開口端から、前記押圧保持部が形成された下端にかけて、凹溝が形成されている
請求項１から６のいずれか１項に記載の中栓。
【請求項８】
薬液を溜める薬液容器本体と、
前記薬液容器本体に取り付けられる、請求項１から７のいずれか１項に記載の中栓と、
前記中栓に取り付けられ、前記薬液を塗布する刷毛とを備える
薬液塗布容器。
【発明の詳細な説明】
【技術分野】
【０００１】
本発明は、例えば皮膚に塗布する薬液等に用いられる薬液塗布容器の中栓、およびそれを備える薬液塗布容器に関する。
【背景技術】
【０００２】
従前より、薬液を溜めておくとともに、当該薬液を皮膚等に塗布するための刷毛を備える薬液塗布容器が開発されている（例えば、特許文献１）。
【０００３】
一般にこのような薬液塗布容器を用いて皮膚等に薬液を塗布する際、可撓性のある材質で形成されており薬液が溜められている薬液容器本体を押しつぶす程度をユーザーが調節することで、薬液の抽出量の調節を行うようになっていた。
【０００４】
具体的には、薬液容器本体を強く押しつぶすと刷毛を伝って抽出される薬液の量が多くなり、薬液容器本体を軽く押しつぶすと刷毛を伝って抽出される薬液の量が少なくなる。
【先行技術文献】
【特許文献】
【０００５】
【特許文献１】特開２００８−１６９１６３号公報
【発明の概要】
【発明が解決しようとする課題】
【０００６】
しかしながら、従来の薬液塗布容器には、薬液の抽出量の調節が難しいという問題があった。
【０００７】
例えば、握力が比較的小さいユーザーが薬液の抽出量の調節をしようとしても、ちょうど良い程度の握力で薬液容器本体を押しつぶすことができず、希望する抽出量よりも少ない量で我慢するか、あるいは、希望する抽出量よりも多すぎる量が出てしまい、薬液が無駄になってしまうことがあった。
【０００８】
本発明は、前述した課題に鑑みてなされたものであり、その目的は、薬液の抽出量の調節を容易に行うことができる、薬液塗布容器に用いられる中栓、およびその中栓を備える薬液塗布容器を提要することにある。
【課題を解決するための手段】
【０００９】
本発明の一局面によれば、
下端部が薬液を溜める薬液容器本体に取り付けられ、
上端部に前記薬液を塗布する刷毛が取り付けられる中栓であって、
前記刷毛が挿設される刷毛挿設孔と、
前記刷毛挿設孔の下端部に形成されており、前記刷毛の側周を押圧することによって前記刷毛の前記中栓に対する位置を保持する押圧保持部とを有している
薬液塗布容器の中栓が提供される。
【００１０】
好適には、
前記押圧保持部は、複数の舌片で形成されており、
複数の前記舌片同士の間には、それぞれ前記刷毛挿設孔に沿って延びる隙間が形成されている。
【００１１】
好適には、
前記刷毛挿設孔の下端部の表面から前記舌片の内面にかけて延びる縦リブが形成されている。
【００１２】
好適には、
前記舌片における前記刷毛の前記側周との当接位置には、前記上端部に向かう返り部が形成されている。
【００１３】
好適には、
前記刷毛挿設孔の上端には、前記刷毛の前記側周における中央部から突出する当り部に当接する受け部が形成されている。
【００１４】
好適には、
前記刷毛挿設孔の中央部に前記刷毛の前記側周における中央部と係合する係合部が形成されている。
【００１５】
好適には、
前記刷毛挿設孔の内面には、前記刷毛挿設孔の開口端から、前記押圧保持部が形成された下端にかけて、凹溝が形成されている。
【００１６】
本発明の他の局面によれば、
上述した中栓を備える薬液塗布容器が提供される。
【発明の効果】
【００１７】
本発明に係る薬液塗布容器の中栓では、刷毛が挿設される刷毛挿設孔の下端部において、当該刷毛の側周を押圧することによって刷毛の中栓に対する位置を保持する押圧保持部が設けられている。これにより、刷毛挿設孔から刷毛の下端部を薬液容器本体内にどの程度突出露出させるかによって、当該薬液容器本体内に溜められた薬液が刷毛の下端部に浸透する量を調節することができる。
【００１８】
これにより、従前の薬液塗布容器のように、薬液容器本体を押しつぶす度合いで薬液の抽出量を調節する必要がなくなり、薬液の抽出量の調節を容易に行うことができる。
【図面の簡単な説明】
【００１９】
【図１】本発明が適用された、実施形態に係る薬液塗布容器１０を示す断面図である。
【図２】薬液容器本体１２を示す斜視図である。
【図３】中栓１４を示す斜視図である。
【図４】中栓１４を示す断面図である。
【図５】一部をカットした中栓１４を示す斜視図である。
【図６】刷毛１６を示す斜視図である。
【図７】キャップ１８を示す斜視図である。
【図８】変形例１に係る中栓１４を示す断面図である。
【図９】変形例１に係る一部をカットした中栓１４を示す斜視図である。
【図１０】変形例２に係る中栓１４を示す断面図である。
【図１１】変形例２に係る一部をカットした中栓１４を示す斜視図である。
【図１２】変形例２に係る刷毛１６を示す斜視図である。
【図１３】変形例２に係る中栓１４と刷毛１６とを組み合わせた状態を示す断面図である。
【図１４】変形例３に係る刷毛１６を示す斜視図である。
【図１５】変形例３に係る中栓１４と刷毛１６とを組み合わせた状態を示す断面図である。
【図１６】変形例４に係る中栓１４を示す断面図である。
【図１７】変形例４に係る刷毛１６を示す斜視図である。
【図１８】変形例４に係る中栓１４と刷毛１６とを組み合わせた状態を示す断面図である。
【図１９】変形例５に係る中栓１４を示す平面図である。
【図２０】変形例５に係る一部をカットした中栓１４を示す斜視図である。
【図２１】変形例５に係る中栓１４と刷毛１６とを組み合わせた状態を示す断面図である。
【図２２】変形例５に係る別の中栓１４を示す平面図である。
【図２３】変形例５に係る一部をカットした別の中栓１４を示す斜視図である。
【図２４】変形例６に係る中栓１４を示す断面図である。
【図２５】変形例６に係る一部をカットした中栓１４を示す斜視図である。
【図２６】変形例６に係る中栓１４と刷毛１６とを組み合わせた状態を示す断面図である。
【図２７】変形例７に係る中栓１４を示す断面図である。
【図２８】変形例７に係る中栓１４を示す斜視図である。
【発明を実施するための形態】
【００２０】
（薬液塗布容器１０の構成）
以下、図面を用いて、本発明が適用された薬液塗布容器１０の構成の一例について説明する。
【００２１】
図１に示すように、薬液塗布容器１０は、大略、薬液容器本体１２と、中栓１４と、刷毛１６と、キャップ１８とで構成されている。
【００２２】
薬液容器本体１２は、図２に示すように、略円柱状の有底筒状部材であり、その開口２０には、中栓１４の下端部が嵌め込まれる中栓嵌挿部２２が形成されている。また、薬液容器本体１２の上端部には、キャップ１８が螺合される雄ネジ部２３が形成されている。
【００２３】
本実施形態に係る薬液容器本体１２は上述のように略円柱状に形成されているが、薬液容器本体１２の形状はこれに限定されるものではなく、例えば、略角柱状であってもよいし、より複雑な形状であってもよい。また、薬液容器本体１２の材質も特に限定されるものではなく、例えば、ポリプロピレン（PP）、ポリエチレン（PE）、ポリエステル（PET）、エラストマーからなる群より選ばれる少なくとも一つが挙げられるが、刷毛１６から薬液を滴下させて使用する場合は、ポリエチレン（PE）やエラストマーが最適であり、使用者に薬液の残量を認識させたい場合はポリエチレン（PE）、ポリエステル（PET）が好適である。
【００２４】
中栓１４は、図３から図５に示すように、略円柱状の筒状部材であり、中栓本体２４と、当該中栓本体２４の長手方向の中心部に形成された刷毛挿設孔２６とを有している。また、中栓本体２４の略中央部外周には、略円形状のフランジ２８が突設されている。さらに、中栓本体２４の外径は、当該フランジ２８よりも上側（刷毛１６が挿入して取り付けられる側）が比較的細く、フランジ２８よりも下側（薬液容器本体１２に嵌め込まれる側）が比較的太く形成されている。なお、フランジ２８よりも上側を比較的太く、フランジ２８よりも下側を比較的細く形成してもよい。
【００２５】
中栓本体２４における比較的細い上側を刷毛取付部３０と呼び、比較的太い下側を薬液容器本体取付部３２と呼ぶ。
【００２６】
本実施形態に係る中栓１４は上述のように略円柱状に形成されているが、中栓１４の外形状はこれに限定されるものではなく、例えば、略角柱状であってもよいし、より複雑な形状であってもよい。また、中栓１４は、その薬液容器本体取付部３２が薬液容器本体１２の中栓嵌挿部２２に嵌挿されるようになっているが、これに変えて、中栓１４の下端部が薬液容器本体１２の上端部に被さるように中栓１４が薬液容器本体１２に対して取り付けられてもよい。さらに、中栓１４の材質も特に限定されるものではなく、例えば、ポリプロピレン（PP）、ポリエチレン（PE）、ポリエステル（PET）、ポリブチレンテレフタレート（PBT）からなる群より選ばれる少なくとも一つが挙げられ、刷毛１６を刷毛挿設孔２６に挿入し易く且つ中栓嵌挿部２２に嵌挿させやすい剛性があればよい。
【００２７】
薬液容器本体取付部３２の内側には、刷毛挿設孔２６よりも大きな径の中栓内側空間３４が形成されており、この中栓内側空間３４に刷毛挿設孔２６の下端が連通している。本実施形態では、刷毛１６の外形に合わせて刷毛挿設孔２６も断面円形状に形成されているが、後述するように刷毛１６の外形は円柱状に限定されるものではなく、例えば角柱状であってもよいことから、刷毛挿設孔２６の形状も刷毛１６の外形に合わせて変形させることができる。
【００２８】
また、刷毛挿設孔２６の下端部には、中栓内側空間３４に突出するようにして、押圧保持部３６が形成されている。本実施形態において、この押圧保持部３６は、刷毛挿設孔２６の下端部を囲むようにして略同一円周上に配置された４つの舌片３８で構成されている。さらに、これら４つの舌片３８同士の間には、それぞれ刷毛挿設孔２６に沿って延びる隙間４０が形成されている。
【００２９】
なお、略同一円周上に配置される舌片３８の数は４つに限定されるものではなく、例えば、２つ、３つ、６つ、８つ等が考えられるが、中栓１４の製造の容易性や刷毛１６を保持する際のバランス等を考えた場合、４つの舌片３８とするのが好適である。
【００３０】
これら４つの舌片３８は、それぞれ下側が刷毛挿設孔２６の中心に近づくようなテーパー状に形成されており、これら舌片３８の下端（先端）で構成される円は、刷毛挿設孔２６に挿設される刷毛１６の外形よりもやや小さく設定されている。これにより、刷毛挿設孔２６に挿入された刷毛１６の下端が押圧保持部３６に達したとき、これら舌片３８同士で刷毛１６の下端部の側周を押圧することによって当該刷毛１６の中栓１４に対する位置を保持するようになっている。
【００３１】
さらに、各舌片３８における根元４２よりもやや上側の刷毛挿設孔２６の内表面から、各舌片３８の内面にかけて延びる縦リブ４４がそれぞれ形成されている。
【００３２】
刷毛１６は、図６に示すように、所定の比重および強度を有する合成繊維の束を所定の密度で略円柱状に押し束ねて形成されたものであり、その下端部から浸透した薬液Ｌが毛細管現象によって刷毛１６の上端部まで浸透してくることにより、当該上端部を皮膚等に押し当てることで薬液Ｌを所望の位置に塗布できるようになっている。
【００３３】
本実施形態に係る刷毛１６の外形は上述のように略円柱状に形成されているが、刷毛１６の外形状はこれに限定されるものではなく、例えば、略角柱状であってもよいし、より複雑な形状であってもよい。また、刷毛１６の材質も特に限定されるものではなく、例えば、ポリエステル繊維（PET、PBT）、ポリプロピレン繊維（PP）、ポリアミド繊維（PA）、アクリル繊維（PMMA）、ポリアセタール繊維（POM）からなる群より選ばれる少なくとも一つが挙げられる。
【００３４】
キャップ１８は、図７に示すように、薬液塗布容器１０を使用しない保管時において、刷毛１６の上端が不所望に物品等に当たって薬液Ｌがそれらに付着してしまうことや、薬液Ｌが刷毛１６の上端から蒸発等してしまうのを回避するための部材である。
【００３５】
本実施形態に係るキャップ１８は、略円錐形状に形成されており、内側に刷毛１６の先端部を収容する刷毛収容空間４６が形成されている。また、キャップ１８の内面の下端部には、薬液容器本体１２の雄ネジ部２３と螺合する雌ネジ部４７が形成されている（図１を参照）。
【００３６】
本実施形態に係るキャップ１８の外形は上述のように略円錐形状に形成されているが、キャップ１８の外形状はこれに限定されるものではなく、例えば、略角柱状や円柱状であってもよいし、より複雑な形状であってもよい。また、キャップ１８の材質も特に限定されるものではなく、例えば、ポリプロピレン（PP）、ポリエチレン（PE）、アクリロニトリル・ブタジエン・スチレン（ABS）からなる群より選ばれる少なくとも一つが挙げられ、キャップの開栓トルク低下を防止する剛性や、防湿性能が極端に劣るものでなければよい。
【００３７】
（薬液塗布容器１０の組み立て）
図１に戻り、本実施形態に係る薬液塗布容器１０の組み立て手順について簡単に説明する。薬液容器本体１２内に予め所定の量の薬液Ｌを充填しておく。次に、中栓１４の薬液容器本体取付部３２を薬液容器本体１２の開口２０に嵌挿し、開口２０の端面に中栓１４のフランジ２８が当接するまで中栓１４を薬液容器本体１２に嵌め込む。然る後、中栓１４の刷毛挿設孔２６に刷毛１６の下端から挿入していき、押圧保持部３６を構成する各舌片３８から刷毛１６の外周面が押圧保持される位置まで中栓１４に嵌め込む。最後に、キャップ１８を刷毛１６の先端部に被せて薬液塗布容器１０の組み立てが完了する。
【００３８】
薬液塗布容器１０の組み立て手順は上述の手順に限定されるものではなく、例えば、予め刷毛１６を中栓１４に嵌め込んでおき、その後で、中栓１４の薬液容器本体取付部３２を薬液容器本体１２の開口２０に嵌挿してもよい。また、中栓１４を薬液容器本体１２に取り付けた後で、中栓１４の刷毛挿設孔２６を通して薬液Ｌを薬液容器本体１２に充填してもよい。
【００３９】
（薬液塗布容器１０の特徴）
本実施形態に係る薬液塗布容器１０の中栓１４によれば、刷毛１６が挿設される刷毛挿設孔２６の下端部において、当該刷毛１６の側周を押圧することによって刷毛１６の中栓１４に対する位置を保持する押圧保持部３６が設けられている。これにより、刷毛挿設孔２６から刷毛１６の下端部を薬液容器本体１２内にどの程度突出露出させるかによって、当該薬液容器本体１２内に溜められた薬液Ｌが刷毛１６の下端部に浸透する量を調節することができる。
【００４０】
これにより、従前の薬液塗布容器のように、薬液容器本体１２を押しつぶす度合いで薬液Ｌの抽出量を調節する必要がなくなり、薬液Ｌの抽出量の調節を容易に行うことができる。
【００４１】
また、中栓１４における押圧保持部３６は複数の舌片３８で形成されており、各舌片３８同士の間には、それぞれ刷毛挿設孔２６に沿って延びる隙間４０が形成されている。これにより、薬液容器本体１２内に溜められた薬液Ｌの量が少なくなり、刷毛１６の下端面から浸透できなくなった場合であっても、当該隙間４０を通して刷毛１６の下端部外周面から薬液Ｌを刷毛１６内に浸透させることができるので、薬液容器本体１２内に溜められた薬液Ｌを最後まで使いきり易い薬液塗布容器１０を提供することができる。
【００４２】
さらに、刷毛挿設孔２６の下端部の表面から舌片３８の内面にかけて延びる縦リブ４４が形成されていることにより、根元部分（刷毛挿設孔２６の下端部近傍）では舌片３８の撓み度合いが小さく、先端部分（舌片３８の下端部）では同撓み度合いが大きくなるので、使用される刷毛１６の表面硬さが材質や密度の違いによって一定でない場合でも、刷毛１６に対する押圧保持力を適切に維持することができる。
【００４３】
（変形例１）
上述した実施形態では、複数の舌片３８を略同一円周上に並べて配設することによって中栓１４の押圧保持部３６を形成していたが、これに変えて、図８および図９に示すように、舌片３８に分割することなく一つの略円筒状に押圧保持部３６を形成してもよい。
【００４４】
（変形例２）
また、図１０および図１１に示すように、舌片３８における刷毛１６の側周との当接位置に、刷毛１６の上端部に向かう返り部４８を形成してもよい。
【００４５】
このような返り部４８を形成することにより、刷毛１６の下端部の側周に当該返り部４８が軽く食い込んだ状態を構成することができるので、ユーザーが薬液塗布容器１０を使用する際、刷毛１６の先端部を皮膚等に押し付けたことによって刷毛１６が不所望に中栓１４内に深く入ってしまうのを回避できる点で好適である。
【００４６】
さらに言えば、図１２に示すように、刷毛１６の下端部の側周に段５０を形成することにより、図１３に示すように、中栓１４に形成された返り部４８がこの段５０と係合するので、中栓１４に対する刷毛１６の嵌め込み度合いを正確に決められるとともに、刷毛１６が不所望に中栓１４内に深く入ってしまうのをさらに確実に回避できる点で好適である。
【００４７】
（変形例３）
また、図１４に示すように、刷毛１６の側周における略中央部から突出する当たり部５２を形成しておくとともに、図１５に示すように、中栓１４における刷毛挿設孔２６の上端（刷毛取付部３０の上端面）を当該当たり部５２に当接する受け部５４とすることにより、中栓１４に対する刷毛１６の嵌め込み度合いを正確に決められるとともに、刷毛１６が不所望に中栓１４内に深く入ってしまうのをさらに確実に回避できる点で好適である。
【００４８】
（変形例４）
また、図１６に示すように、中栓１４における刷毛挿設孔２６の中央部に、刷毛１６の側周における中央部と係合する係合部５６を形成してもよい。
【００４９】
具体的には、中栓１４における刷毛挿設孔２６の中央部の全周に当該刷毛挿設孔２６から内向きに突出する突部を形成してこれを係合部５６とし、図１７および図１８に示すように、この係合部５６に対応する刷毛１６の略中央部の全周に当該突部に係合する凹部５８を形成することが考えられる。
【００５０】
逆に、中栓１４における刷毛挿設孔２６の中央部の全周に凹部を形成してこれを係合部５６とし、この係合部５６に対応する刷毛１６の略中央部の全周から外向きに突出する突部を形成してもよい。
【００５１】
これにより、中栓１４に対する刷毛１６の嵌め込み度合いを正確に決められるとともに、刷毛１６が不所望に中栓１４内に深く入ってしまうことや刷毛１６が不所望に中栓１４から出てしまうのを確実に回避できる点で好適である。
【００５２】
（変形例５）
また、図１９および図２０に示すように、中栓１４における押圧保持部３６の形状を、刷毛挿設孔２６の内面から当該刷毛挿設孔２６の中心に向けて突出する突部６０を複数設けることで刷毛挿設孔２６の一部を塞ぐようなものにしてもよい。この場合、刷毛１６の下端部の形状も、図２１に示すように、刷毛挿設孔２６の一部を塞ぐ押圧保持部３６（突部６０）を避けて当該押圧保持部３６と刷毛挿設孔２６との間の隙間に嵌まるように構成される。
【００５３】
これにより、中栓１４に対して刷毛１６が不所望に回転してしまうのを防止できる点で好適である。
【００５４】
なお、この変形例５のバリエーションとしては、図２２および図２３に示すように、刷毛挿設孔２６の断面中央を横切るように刷毛挿設孔２６の内面間に架け渡された押圧保持部３６としてもよい。
【００５５】
（変形例６）
また、図２４および図２５に示すように、中栓本体２４において押圧保持部３６を構成する舌片３８の位置を図中上方、つまり刷毛挿設孔２６の上下方向寸法が短くなる方向に設定してもよい。例えば、この変形例６では、押圧保持部３６（舌片３８）の位置がフランジ２８よりも上側に設定されている。
【００５６】
この変形例６に係る中栓１４の場合も、図２６に示すように、中栓１４の刷毛挿設孔２６に刷毛１６の下端から挿入していき、押圧保持部３６を構成する各舌片３８から刷毛１６の外周面が押圧保持される位置まで中栓１４に嵌め込む。
【００５７】
これにより、刷毛挿設孔２６の下端（つまり、舌片３８の下端）から刷毛１６の下端部を薬液容器本体１２側にどの程度突出露出させるかによって薬液Ｌが刷毛１６の下端部に浸透する量を調節することができる。
【００５８】
（変形例７）
また、図２７および図２８に示すように、中栓１４における刷毛挿設孔２６の内面に、刷毛１６が挿設される刷毛挿設孔２６の開口端［図中上方］から、舌片３８（押圧保持部３６）が形成された底端（下端）［図中下方］にかけて、縦方向の凹溝６２を形成してもよい。なお、この凹溝６２の数は、１本でもよいし、複数本であってもよい。また、凹溝６２の形状は、図示するように直線状であってもよいし、折れ曲がっていても、湾曲していてもよい。
【００５９】
薬液塗布容器１０を組み立てて使用する際、薬液容器本体１２内の薬液Ｌを刷毛１６の下端部から先端に浸透させて当該薬液Ｌを皮膚等に塗布する。このとき、刷毛挿設孔２６の内面に開口端から底端にかけて縦方向の凹溝６２が形成されていることにより、当該凹溝６２を通して外部の空気が薬液容器本体１２内に入りやすくなり、より多くの薬液Ｌを刷毛１６の先端へ浸透させることができるようになる。
【００６０】
今回開示された実施形態はすべての点で例示であって制限的なものではないと考えられるべきである。本発明の範囲は、上述した説明ではなく、特許請求の範囲によって示され、特許請求の範囲と均等の意味および範囲内でのすべての変更が含まれることが意図される。
【符号の説明】
【００６１】
１０…薬液塗布容器、１２…薬液容器本体、１４…中栓、１６…刷毛、１８…キャップ、２０…開口、２２…中栓嵌挿部、２３…雄ネジ部、２４…中栓本体、２６…刷毛挿設孔、２８…フランジ、３０…刷毛取付部、３２…薬液容器本体取付部、３４…中栓内側空間、３６…押圧保持部、３８…舌片、４０…隙間、４２…根元、４４…縦リブ、４６…刷毛収容空間、４７…雌ネジ部、４８…返り部、５０…段、５２…当たり部、５４…受け部、５６…係合部、５８…凹部、６０…突部、６２…凹溝
Ｌ…薬液
【図１】
2022002980.tif 000003
【図２】
2022002980.tif 000004
【図３】
2022002980.tif 000005
【図４】
2022002980.tif 000006
【図５】
2022002980.tif 000007
【図６】
2022002980.tif 000008
【図７】
2022002980.tif 000009
【図８】
2022002980.tif 000010
【図９】
2022002980.tif 000011
【図１０】
2022002980.tif 000012
【図１１】
2022002980.tif 000013
【図１２】
2022002980.tif 000014
【図１３】
2022002980.tif 000015
【図１４】
2022002980.tif 000016
【図１５】
2022002980.tif 000017
【図１６】
2022002980.tif 000018
【図１７】
2022002980.tif 000019
【図１８】
2022002980.tif 000020
【図１９】
2022002980.tif 000021
【図２０】
2022002980.tif 000022
【図２１】
2022002980.tif 000023
【図２２】
2022002980.tif 000024
【図２３】
2022002980.tif 000025
【図２４】
2022002980.tif 000026
【図２５】
2022002980.tif 000027
【図２６】
2022002980.tif 000028
【図２７】
2022002980.tif 000029
【図２８】
2022002980.tif 000030